(57)【要約】【課題】非呼配信ページングのための待ち時間を減少させる方法を提供すること。【解決手段】移動局のページングは、通常、呼配信プロセスの一部として行われる。その結果、移動局は、呼配信が行われることを可能にするために、発信などの一定のオペレーションを控える必要がある。しかし、呼配信が移動局のページングの所期の結果でない場合には、非呼配信ページングのための待ち時間を減少させる方法により、ページングされた移動局またはページングされた加入者が、ページ・メッセージを受信した後には通常禁止されているが、解放メッセージを受信する前には禁止されていないオペレーションを行うことが可能になる。【選択図】図１
2004289840.tif 000002
【特許請求の範囲】
【請求項１】
移動局（１０）の非呼配信ページングの待ち時間を減少させる方法であって、
監査のみのページ・メッセージとして識別可能なページ・メッセージが受信された場合には、解放メッセージを待つことなく、禁止されたオペレーションを前記移動局（１０）で実施することを含み、前記禁止されたオペレーションが、前記移動局（１０）をページングする前記ページ・メッセージの受信後、かつ前記禁止を解放する前記解放メッセージの受信前に、実施することが禁止されたオペレーションである方法。
【請求項２】
前記ページ・メッセージが、前記ページ・メッセージが監査のみのページ・メッセージであることを示す識別子を含む請求項１に記載の方法。
【請求項３】
前記識別子が、前記ページ・メッセージのサービス・オプション・フィールド内にある請求項２に記載の方法。
【請求項４】
前記禁止されたオペレーションを実施する工程が、発信メッセージを送信する請求項１に記載の方法。
【請求項５】
前記移動局（１０）で前記監査のみのページ・メッセージを受信すること、および、
前記監査のみのページ・メッセージに応答して、ページ応答を送信することをさらに含む請求項１に記載の方法。
【請求項６】
ショート・データ・バースト（ＳＤＢ）メッセージを受信すること、および、
前記ＳＤＢメッセージの肯定応答を送信することをさらに含む請求項１に記載の方法。
【請求項７】
前記ＳＤＢメッセージが、プッシュトークＶｏＩＰセットアップを示す請求項６に記載の方法。
【請求項８】
移動局の非呼配信ページングの待ち時間を減少させる方法であって、
前記移動局（１０）をページングする、以前に送信されたページ・メッセージのための解放メッセージを送信せずに、前記移動局（１０）から発信メッセージをワイヤレス・ネットワーク（１２）で受信することを含む方法。
【請求項９】
前記受信する工程の前に、
前記移動局（１０）をページングする前記ページ・メッセージを送信することをさらに含み、前記ページ・メッセージが、前記ページ・メッセージが監査のみのページ・メッセージであることを示す識別子を含む請求項８に記載の方法。
【請求項１０】
前記移動局（１０）からページ応答を受信することをさらに含む請求項８に記載の方法。
【発明の詳細な説明】
【技術分野】
【０００１】
本発明は、移動局のページング、より詳細には、非呼配信のためのページングの待ち時間を減少させる方法に関する。移動局のページングは、通常、呼配信プロセスの一部として行われる。その結果、移動局は、呼配信が行われることを可能にするために、発信などの一定のオペレーションを控える必要がある。移動局は、呼配信が行われた後に解放され、次いで禁止されたオペレーションを実施できるようになる。しかし、ページングと禁止されたオペレーションの間のこの待ち時間は、ページングの目的が呼配信でない場合にも発生する。
【背景技術】
【０００２】
プッシュトーク（ＰＴＴ）ＶｏＩＰ（ｖｏｉｃｅ−ｏｖｅｒ−ＩＰ）サービスのセットアップには、移動局の非呼配信ページングが必要である。その結果、非呼配信ページングの待ち時間により、ＰＴＴ  ＶｏＩＰサービスのセットアップにも待ち時間が生じる。この待ち時間および非呼配信ページングの待ち時間をより理解するために、ＰＴＴ  ＶｏＩＰ通信のセットアップに関連して、以下により詳細に記載する。
【０００３】
ＰＴＴ機能を用いて、たとえば単に起呼移動局上のＰＴＴボタンを押すことにより、移動局が、実質的に同時に１つまたは複数の他の移動局と素早く通信できる。ＶｏＩＰとは、音声通信の通常の回線トランスポート方法と比べ、パケット・データ・ネットワークを介してトランスポートされるデジタル化された音声を使用する音声の通信を指す。したがって、ＰＴＴ  ＶｏＩＰサービスは、ＶｏＩＰ通信を通じてＰＴＴ機能を提供しようとする。
【０００４】
図１は、先行技術によるＰＴＴ  ＶｏＩＰ通信のための一般的なアーキテクチャを示す図である。示されているように、起呼移動局または起呼加入者（ＣｇＰ）１０は、ＰＴＴオペレーションを開始する場合に、第１のワイヤレス・ネットワーク１２と通信する。通信は、呼び出されている加入者（すなわち被呼加入者（ＣｄＰ））２２の識別子などの情報（たとえば、電話番号、ＵＲＬ、ピン番号）を含む。次いで、第１のワイヤレス・ネットワーク１２は、公共または私設の、イントラネットまたはインターネット１４（すなわちＩＰネットワーク）を介してＰＴＴサーバ１６と通信する。第１のワイヤレス・ネットワーク１２は、ＰＴＴサーバ１６にＣｇＰ１０およびＣｄＰ２２についての情報を提供する。第１のワイヤレス・ネットワーク１２は、第１のワイヤレス・ネットワーク１２がワイヤレス通信サービスを提供する移動局に関する情報のデータベース１３を管理する。第１のワイヤレス・ネットワーク１２がＰＴＴサービスも提供する場合は、データベース１３は、たとえば、その移動局の正規識別情報に関連付けられたＩＰアドレス情報も格納する。
【０００５】
第１のワイヤレス・ネットワーク１２は、ＣｇＰ１０のためのＰＴＴ要求をＰＴＴサーバ１６に通信する。ＰＴＴ要求は、ＣｄＰ２２を識別し、またＣｇＰ１０のＩＰアドレスを提供する。ＰＴＴサーバ１６は、その中に格納された情報のデータベースを使用して、ＰＴＴ要求を第２のワイヤレス・ネットワーク２０に経路指定する。第２のワイヤレス・ネットワーク２０は、この例においては、ＣｄＰ２２を含む地理エリア内の移動局の通信ニーズを満たす。ＰＴＴ要求は、第２の公共または私設の、イントラネットまたはインターネット１８（すなわちＩＰネットワーク）を介して、ＰＴＴサーバ１６から第２のワイヤレス・ネットワーク２０に経路指定される。理解されるように、第１および第２のワイヤレス・ネットワーク１２および２０は、ＣｄＰ２２およびＣｇＰ１０が同じワイヤレス・ネットワークによってサービスされる場合は、同じワイヤレス・ネットワークであり得る。同様に、第１および第２の公共または私設の、イントラネットまたはインターネット１４および１８も、同じネットワークであり得る。
【０００６】
たとえばＰＴＴサーバ１６から受信したＣｄＰ２２のＩＰアドレスなどの情報を使用して、第２のワイヤレス・ネットワーク２０は、ＣｄＰ２２を識別し、ＣｄＰ２２をページングする。ＣｄＰ２２が、そのページングに応答し、ＣｄＰ２２がＰＴＴ  ＶｏＩＰ通信を受信可能であることを示した場合には、第２のワイヤレス・ネットワーク２０は、第２のＩＰネットワーク１８を介してＰＴＴサーバ１６に信号を送る。ＰＴＴサーバ１６は、第１のネットワーク１４を介して第１のワイヤレス・ネットワーク１２に信号を送る。ＰＴＴ１６からの信号内のＣｇＰ１０のＩＰアドレスを使用して、第１のワイヤレス・ネットワーク１２は、データベース１３にアクセスしてＣｇＰ１０を識別する。次いで、第１のワイヤレス・ネットワーク１２は、識別されたＣｇＰ１０に、音声通信が開始できることを通知する。たとえば、通知により、一般に移動局１０で可聴通知がトリガされ、音声通信ができることをユーザに知らせる。
【０００７】
ＰＴＴ  ＶｏＩＰ通信をセットアップするのに必要な時間は、ＣｇＰ１０がＰＴＴオペレーションを開始してから、ＣｇＰ１０が可聴通知を発行する時間までの時間である。この時間は、一般に、ＰＴＴ  ＶｏＩＰセットアップの待ち時間と呼ばれる。現在当業界では、この待ち時間を減少させたいという要求がある。
【０００８】
ＰＴＴ  ＶｏＩＰセットアップの待ち時間に寄与する１つの要因に、トラフィック・チャネルを確立して、第２のワイヤレス・ネットワーク２０とＣｄＰ２２の間でＰＴＴ  ＶｏＩＰ通信をサポートすることがある。図２は、図１に示されるように、ＰＴＴオペレーションを通信し、その後、第２のワイヤレス・ネットワークと被呼加入者の間でトラフィック・チャネルを確立することを示す通信フローチャートである。示されているように、ＰＴＴ  ＶｏＩＰ通信をセットアップするために、第２のワイヤレス・ネットワーク２０は、ＣｄＰ２２をページングする。ＣｄＰ２２はページ応答で応答し、そのページが適切に受信されると、ページ応答状態を入力する。第２のワイヤレス・ネットワーク２０がページ応答を適切に受信した場合には、第２のワイヤレス・ネットワーク２０は、肯定応答（ＡＣＫ）メッセージをＣｄＰ２２に送信し、ページ応答の受信を確認する。
【０００９】
次に、第２のワイヤレス・ネットワーク２０は、ショート・データ・バースト（ＳＤＢ）メッセージをＣｄＰ２２に送信し、ＣｄＰ２２がＰＴＴ  ＶｏＩＰ通信をするよう呼び出されていることをＣｄＰ２２に通知する。ＳＤＢメッセージは、このタスクにトラフィック・チャネルが割り当てられていない、モバイル・ネットワークとワイヤレス・ネットワークの間で送信されたＩＰパケットである。すなわち、ＩＰパケットは、共通または共用チャネルを介して送信される。ＣｄＰ２２がＳＤＢメッセージを適切に受信した場合には、ＣｄＰ２２は、ＳＤＢメッセージの受信を肯定応答するＡＣＫメッセージを送信する。第２のワイヤレス・ネットワーク２０は、ＣｄＰ２２からＡＣＫメッセージを受信したことを肯定応答するＡＣＫメッセージを送信する。次いで、第２のワイヤレス・ネットワーク２０は、解放メッセージをＣｄＰ２２に送信する。解放メッセージは、ＣｄＰ２２がページから解放された（すなわちページ応答状態から解放された）ことを示し、その後は、発信などの他のオペレーションを実施できるようになる。したがって図２は、この非呼配信ページングの待ち時間を示す図である。ＳＤＢメッセージが指定ＰＴＴ  ＶｏＩＰ通信についてＣｄＰ２２に通知したので、ＣｄＰ２２は、ひとたび解放メッセージが受信されると、発信メッセージを送信する。発信メッセージは、第２のワイヤレス・ネットワーク２０がＣｄＰ２２と第２のワイヤレス・ネットワーク２０の間でトラフィック・チャネルを確立して、ＰＴＴ  ＶｏＩＰ通信をサポートすることを要求する。図２のこの部分は、非呼配信ページングの待ち時間がＰＴＴ  ＶｏＩＰセットアップの待ち時間に及ぼす影響をさらに示す。
【発明の開示】
【発明が解決しようとする課題】
【００１０】
移動局のページングは、通常、呼配信プロセスの一部として行われる。その結果、移動局は、呼配信が行われることを可能にするために、発信などの一定のオペレーションを控える必要がある。しかし、呼配信が移動局のページングの所期の結果でない場合には、本発明は、非呼配信ページングの待ち時間を減少させる。本発明は、ページングされた移動局またはページングされた加入者が、ページ・メッセージを受信した後には通常禁止されているが、解放メッセージを受信する前には禁止されていないオペレーションを行うことを可能にすることにより、非呼配信ページングの待ち時間を減少させる方法を提供する。
【課題を解決するための手段】
【００１１】
一例示的実施形態によれば、ワイヤレス・ネットワークによって送信されたページ・メッセージには、ページ・メッセージを監査のみのページ・メッセージとして識別する識別子が含まれる。この識別子の認識に基づいて、ページングされた移動局は、ページ応答状態からの解放を待つことなく、発信などのオペレーションを行うことができる。
【００１２】
別の例示的実施形態によれば、ワイヤレス・ネットワークによって送信された命令メッセージには、命令メッセージを起動命令として識別する識別子が含まれる。起動命令は、それが非呼配信用の位置決め機能として使用できるという点で、監査のみのページと同様である。起動命令の認識に基づいて、ページングされた移動局は肯定応答を送信し、発信などのオペレーションを行うことができる。移動局が命令メッセージに対する解放メッセージを必要としないので、移動局は、たとえば解放メッセージを待つことなく、発信を行う。
【００１３】
本発明は、以下の詳細な記述および添付図面よりさらに充分に理解されるであろう。なお、同じ要素には同じ参照符号を付してあるが、これらは単に例示のためであり、したがって本発明を限定するものではない。
【発明を実施するための最良の形態】
【００１４】
本発明を正しく理解するために、ページ・メッセージのための周知のフォーマットについて記載し、次いで命令メッセージのための周知のフォーマットについて記載する。次いで本発明の実施形態について記載し、図１のアーキテクチャを使用して、本発明の１つの例示的オペレーションついて記載する。しかし、本発明がこのアーキテクチャの適用形態に限定されるものでないことを理解されたい。
【００１５】
ページ・メッセージ・フォーマット
図３は、ＴＩＡ／ＥＩＡ  ＩＳ−２０００による一般的なページ・メッセージの周知のフォーマットを示す図である。一般的なページ・メッセージには、単一のメッセージとして共にパッケージされた、いくつかのページまたはページ・レコードが含まれることがある。示されているように、一般的なページ・メッセージは、一般的なページ情報セクション、数枚のページ、確保されたセクション、誤り訂正（ＣＲＣ）セクションを含む。一般的なページ情報セクションは、一般的なメッセージ情報、たとえば、メッセージ番号、メッセージの長さなどを含む。それぞれの個々のページは、第１のページについて詳細に示されているようなフォーマットを有する。このフォーマットについては、以下に詳細に論じる。確保されたセクションは、将来使用するために確保された一般的なページ・メッセージの一部分である。ＣＲＣセクションは、一般的なページ・メッセージのための誤り訂正コード情報を含む。
【００１６】
示されているように、それぞれのページ・レコードは、ページ・クラス・フィールド、移動局（ＭＳ）識別フィールド、サービス・オプション・フィールド、およびこの開示に関係しない他のフィールドを含む。ページ・クラス・フィールドは、このページ・レコード内で使用される移動局識別子のクラスを示す。たとえば、移動局識別子のクラスには、同報通信、国際移動局識別子（ＩＭＳＩ）、一時移動局識別子（ＴＭＳＩ）などが含まれる。移動局識別フィールドは、ページ・クラス・フィールド内にある移動局識別子のクラスを使用して、ページングされた移動局を識別する。サービス・オプション・フィールドは、移動局がページングされるサービスのタイプ（たとえば、音声呼の配信、ショート・テキスト・メッセージの配信、ＩＰパケット・データなど）を示す。
【００１７】
命令メッセージ・フォーマット
図４は、ＴＩＡ／ＥＩＡ  ＩＳ−２０００による命令メッセージの周知のフォーマットを示す図である。示されているように、命令メッセージは、一般的なメッセージ情報セクション、アドレス・セクション、命令セクション、命令認定セクション、追加レコード・セクション、ＣＲＣセクション、およびこの開示に関係しない他のセクションを含む。一般的なメッセージ情報セクションは、一般的なメッセージ情報、たとえば、メッセージ番号、メッセージの長さなどを含む。アドレス・セクションは、たとえば命令が出された１つまたは複数の移動局を識別する。命令セクションは命令のタイプを示す。命令認定セクションは、命令のタイプを識別するための追加セクションである。すなわち、命令セクションおよび命令認定セクションは共に、命令のタイプ、たとえば、肯定応答（ＡＣＫ）メッセージ、再試行命令、周期パイロット測定命令などを一意的に定義する。追加レコード・セクションは、必要な場合には、追加の命令特有情報（たとえば、再試行を待つ時間、またはパイロット測定を実施する周期）を提供する。ＣＲＣセクションは、命令メッセージのための誤り訂正コード情報を含む。
【００１８】
第１の実施形態
本発明の第１の実施形態においては、第２のワイヤレス・ネットワーク２０は、図３に示されているようなフォーマットを有するＣｄＰ２２のためのページ・メッセージを生成する。しかし、第２のワイヤレス・ネットワーク２０は、サービス・オプション・フィールド内に特別なコードを追加して、ページ・メッセージが監査のみのページ・メッセージであることを示す。監査のみのページ・メッセージとして識別されたページ・メッセージを受信すると、ＣｄＰ２２は、解放メッセージを受信するまで、通常は禁止されているオペレーションを禁止しなくなる。したがって、図５に関して以下に詳細に記載するように、ＣｄＰ２２は、第２のワイヤレス・ネットワーク２０から解放メッセージが受信されていなくても、続けて、たとえば発信メッセージを送信することができる。実施できる他の禁止されたオペレーションには、ショート・メッセージ・サービスを介してショート・テキスト・メッセージを送信することなどが含まれる。
【００１９】
図５は、本発明の例示的オペレーションを示す図である。より具体的には、図５は、ＰＴＴ  ＶｏＩＰオペレーションを通信し、ＰＴＴ  ＶｏＩＰ通信のために第２のワイヤレス・ネットワーク２０とＣｄＰ２２の間でトラフィック・チャネルを確立することを示す通信フローチャートである。示されているように、ＰＴＴ  ＶｏＩＰ通信をセットアップするために、第２のワイヤレス・ネットワーク２０はＣｄＰ２２をページングする。第２のワイヤレス・ネットワーク２０は、詳細に上述したように、監査のみのページ・メッセージを使用してＣｄＰ２２をページングする。ＣｄＰ２２は、監査のみのページ・メッセージが適切に受信されると、ページ応答で応答する。第２のワイヤレス・ネットワーク２０がページ応答を適切に受信した場合には、第２のワイヤレス・ネットワーク２０は、ページ応答を受信したことを肯定応答する肯定応答（ＡＣＫ）メッセージをＣｄＰ２２に送信する。
【００２０】
次に、第２のワイヤレス・ネットワーク２０は、ショート・データ・バースト（ＳＤＢ）メッセージをＣｄＰ２２に送信して、ＣｄＰ２２がＰＴＴ  ＶｏＩＰ通信をするよう呼び出されていることをＣｄＰ２２に通知する。ＣｄＰ２２がＳＤＢメッセージを適切に受信した場合には、ＣｄＰ２２は、ＳＤＢメッセージを受信したことを肯定応答するＡＣＫメッセージを送信する。第２のワイヤレス・ネットワーク２０は、ＣｄＰ２２からＡＣＫメッセージを受信したことを肯定応答するＡＣＫメッセージを送信する。
【００２１】
ＳＤＢメッセージが、指定ＰＴＴ  ＶｏＩＰ通信についてＣｄＰ２２に通知したので、ＣｄＰ２２は、発信メッセージを第２のワイヤレス・ネットワーク２０に送信する。発信メッセージは、第２のワイヤレス・ネットワーク２０が、ＣｄＰ２２と第２のワイヤレス・ネットワーク２０の間でトラフィック・チャネルを確立して、ＰＴＴ  ＶｏＩＰ通信をサポートすることを要求する。示されているように、ＣｄＰ２２が第２のワイヤレス・ネットワーク２０から送信されたページ・メッセージを監査のみのページ・メッセージとして識別するので、ＣｄＰ２２は、解放メッセージを待って発信メッセージを送信することをしない。したがって、非呼配信ページングに関する待ち時間が減少し、したがって、この例示的オペレーションにおいては、ＰＴＴ  ＶｏＩＰセットアップの待ち時間も減少する。
【００２２】
第２の実施形態
本発明の第２の実施形態においては、第２のワイヤレス・ネットワーク２０は、、図４に示されているようなフォーマットを有するＣｄＰ２２のための命令メッセージを生成する。しかし、第２のワイヤレス・ネットワーク２０は、命令フィールドまたは命令認定フィールド内の特別なコードを使用して、命令メッセージが起動命令であることを示す。ＣｄＰ２２は、命令メッセージをそれ自体に出された起動命令として認識すると、肯定応答を送信する。起動命令はページではないので、移動局は、発信などの他のサービスを開始することが依然として可能である。
【００２３】
上述した図５に関して、本発明のこの実施形態によれば、第２のワイヤレス・ネットワーク２０は、監査のみのページ・メッセージではなく起動命令メッセージをＣｄＰ２２に送信し、ページ応答ではなく肯定応答を受信する。そうでない場合は、図５に示されたオペレーションはこの実施形態と同じである。したがって、ＣｄＰ２２は、たとえ解放メッセージが第２のワイヤレス・ネットワーク２０から受信されていない場合でも、続けて、たとえば発信メッセージを送信することができる。
【００２４】
さらに周知のように、移動局は、スロット・モードおよび非スロット・モードで動作する。スロット・モードにおいては、移動局は、バッテリ寿命を節約し、かつ共用または共通チャネルを周期的に監視するよう動作停止する（たとえばパワーアップする）だけのために、パワーダウンしてまたは休眠状態で動作する。非スロット・モードにおいては、移動局は引き続き動作停止状態である。一般に、移動局がページ・メッセージを受信した場合には、移動局は、スロット・モードであれば、一定の時間（たとえば１２秒）、非スロット・モードに移動する。本発明のこの実施形態の一態様においては、スロット移動局が、起動命令が受信された場合と同じ方式で動作する。
【００２５】
この実施形態の別の変形形態においては、本発明による起動命令は、スロット移動局が起動命令に応答して動作停止状態に留まっている時間を指定できるという柔軟性を追加する。具体的には、第２の実施形態のこのさらなる態様によれば、第２のワイヤレス・ネットワーク２０は、移動局が起動命令に応答して動作停止状態に留まっている時間を示す追加レコード・フィールド内にデータを入れる。
【００２６】
ＳＤＢメッセージの受信後、かつ別のＳＤＢメッセージが配信できるようになるまで、起動命令を使用して、ＣｄＰ２２などの移動局を動作停止状態に保つことができることも、さらに理解されるであろう。この場合、ワイヤレス・ネットワークは、移動局が動作停止状態であり、直ちにメッセージを送信できることを認識している。
【００２７】
本発明についてこのように記載してきたが、本発明を多くの方法で変更できることは自明であろう。このような変形形態を本発明の趣旨および範囲からの逸脱とみなすべきではなく、当業者には明らかであるはずのこのようなすべての修正形態は、本発明の範囲内に含まれるものとする。
【図面の簡単な説明】
【００２８】
【図１】先行技術によるＰＴＴ  ＶｏＩＰ通信のための一般的なアーキテクチャを示す図である。
【図２】図１に示されるように、ＰＴＴオペレーションを通信し、その後、第２のワイヤレス・ネットワークと被呼加入者の間でトラフィック・チャネルを確立することを示す通信フローチャートである。
【図３】ページ・メッセージの周知のフォーマットを示す図である。
【図４】命令メッセージの周知のフォーマットを示す図である。
【図５】本発明の一実施形態に従って、ＰＴＴオペレーションを通信し、その後、第２のワイヤレス・ネットワークと被呼加入者の間でトラフィック・チャネルを確立することを示す通信フローチャートである。
【図１】
2004289840.tif 000003
【図２】
2004289840.tif 000004
【図３】
2004289840.tif 000005
【図４】
2004289840.tif 000006
【図５】
2004289840.tif 000007